(57)【要約】【課題】ユーザが購入したコンテンツを、ユーザの所望の時間及び場所において取得し、再生することができるコンテンツ管理システム及びコンテンツ管理方法を提供する。【解決手段】コンテンツ管理サーバ３に、購入識別及びコンテンツデータをコンテンツＩＤ毎に記憶するコンテンツＤＢ３６と、ユーザが購入したコンテンツの購入識別を記憶するユーザＤＢ３４と、端末２からユーザが購入したコンテンツの購入識別を受信し、ユーザＤＢ３４に書き込む書込手段と、受信した購入識別をコンテンツＩＤへ一方向変換する変換手段３５と、コンテンツ再生装置４からコンテンツの配信の要求を受信し、変換手段３５が変換したコンテンツＩＤにより識別されるコンテンツデータを配信する配信手段３８とを備えた。【選択図】      図１
2004199590.tif 000002
【特許請求の範囲】
【請求項１】
ユーザの端末及びコンテンツ再生装置と、前記ユーザの所有するコンテンツを管理するコンテンツ管理サーバとをネットワークを介して接続してなるコンテンツ管理システムであって、
前記端末は、
ユーザが購入したコンテンツの購入識別を前記コンテンツ管理サーバへ送信する手段を備え、
前記コンテンツ管理サーバは、
購入識別及びコンテンツデータをコンテンツＩＤ毎に記憶するコンテンツデータベースと、
ユーザが購入したコンテンツの購入識別を記憶するユーザデータベースと、
前記端末からユーザが購入したコンテンツの購入識別を受信し、前記ユーザデータベースに書き込む書込手段と、
受信した購入識別をコンテンツＩＤへ一方向変換する変換手段と、
前記コンテンツ再生装置からコンテンツの配信の要求を受信し、前記変換手段が変換したコンテンツＩＤにより識別されるコンテンツデータを配信する配信手段とを備え、
前記コンテンツ再生装置は、
前記コンテンツ管理サーバへコンテンツの配信の要求を送信し、この要求に対応して受信したコンテンツデータを再生する再生手段を備える、
ことを特徴とするコンテンツ管理システム。
【請求項２】
前記端末は、コンテンツデータの再生順を前記コンテンツ管理サーバへ送信する手段を備え、
前記ユーザデータベースは、さらに、コンテンツデータの再生順を記憶し、
前記コンテンツ管理サーバは、前記端末からコンテンツデータの再生順を受信し、前記ユーザデータベースへ書き込むプログラム編集手段をさらに備え、
前記配信手段は、前記ユーザデータベース内のコンテンツデータの再生順に従ってコンテンツデータを配信する、
ことを特徴とする請求項１に記載のコンテンツ管理システム。
【請求項３】
前記コンテンツ管理サーバは、前記ユーザデータベース内の情報を基にユーザの嗜好を分析する分析手段をさらに備えることを特徴とする請求項１または請求項２に記載のコンテンツ管理システム。
【請求項４】
ユーザの端末及びコンテンツ再生装置と、前記ユーザの所有するコンテンツを管理するコンテンツ管理サーバとをネットワークを介して接続してなるコンテンツ管理システムにおけるコンテンツ管理サーバであって、
購入識別及びコンテンツデータをコンテンツＩＤ毎に記憶するコンテンツデータベースと、
ユーザが購入したコンテンツの購入識別を記憶するユーザデータベースと、
前記端末からユーザが購入したコンテンツの購入識別を受信し、前記ユーザデータベースに書き込む書込手段と、
受信した購入識別をコンテンツＩＤへ一方向変換する変換手段と、
前記コンテンツ再生装置からコンテンツの配信の要求を受信し、前記変換手段が変換したコンテンツＩＤにより識別されるコンテンツデータを配信する配信手段と、
を備えることを特徴とするコンテンツ管理サーバ。
【請求項５】
ユーザの端末及びコンテンツ再生装置と、前記ユーザの所有するコンテンツを管理するコンテンツ管理サーバとをネットワークを介して接続してなるコンテンツ管理システムに用いられるコンテンツ管理方法であって、
前記端末が、
ユーザが購入したコンテンツの購入識別を前記コンテンツ管理サーバへ送信し、
前記コンテンツ管理サーバが、
購入識別及びコンテンツデータをコンテンツＩＤ毎に記憶するコンテンツデータベースと、ユーザが購入したコンテンツの購入識別を記憶するユーザデータベースとを用意し、
前記端末からユーザが購入したコンテンツの購入識別を受信し、前記ユーザデータベースに書き込み、
受信した購入識別をコンテンツＩＤへ一方向変換し、
前記コンテンツ再生装置が、
前記コンテンツ管理サーバへコンテンツの配信の要求を送信し、
前記コンテンツ管理サーバが、
前記コンテンツ再生装置からコンテンツの配信の要求を受信し、変換したコンテンツＩＤにより識別されるコンテンツデータを配信し、
前記コンテンツ再生装置が、
前記コンテンツの配信の要求に対応して受信したコンテンツデータを再生する、
ことを特徴とするコンテンツ管理方法。
【請求項６】
ユーザの端末及びコンテンツ再生装置と、前記ユーザの所有するコンテンツを管理するコンテンツ管理サーバとをネットワークを介して接続してなるコンテンツ管理システムにおけるコンテンツ管理サーバに用いられるコンテンツ管理方法であって、
購入識別及びコンテンツデータをコンテンツＩＤ毎に記憶するコンテンツデータベースと、ユーザが購入したコンテンツの購入識別を記憶するユーザデータベースとを用意し、
前記端末からユーザが購入したコンテンツの購入識別を受信し、前記ユーザデータベースに書き込み、
受信した購入識別をコンテンツＩＤへ一方向変換し、
前記コンテンツ再生装置からコンテンツの配信の要求を受信し、変換したコンテンツＩＤにより識別されるコンテンツデータを配信する、
ことを特徴とするコンテンツ管理方法。
【請求項７】
ユーザの端末及びコンテンツ再生装置と、前記ユーザの所有するコンテンツを管理するコンテンツ管理サーバとをネットワークを介して接続してなるコンテンツ管理システムにおけるコンテンツ管理サーバに用いられるコンピュータプログラムであって、
前記端末からユーザが購入したコンテンツの購入識別を受信し、ユーザデータベースに書き込むステップと、
購入識別及びコンテンツデータをコンテンツＩＤ毎に記憶するコンテンツデータベースを参照し、受信した購入識別をコンテンツＩＤへ一方向変換するステップと、
前記コンテンツ再生装置からコンテンツの配信の要求を受信し、変換したコンテンツＩＤにより識別されるコンテンツデータを配信するステップと、
をコンピュータに実行させることを特徴とするコンテンツ管理サーバのコンピュータプログラム。
【発明の詳細な説明】
【０００１】
【発明の属する技術分野】
この発明は、ユーザが購入したコンテンツをネットワーク上で管理するコンテンツ管理システム及びコンテンツ管理方法に関する。
【０００２】
【従来の技術】
近年、映像や音楽などのデジタル化されたコンテンツがコンピュータ上で取り扱われるようになってきている。これに伴い、ネットワークを介して、音楽データなどのコンテンツデータをコンテンツ配信サーバから、ユーザの端末へ配信するサービスが行われつつある。
一方、特許文献１には、音楽データを保存した装置に固有のＩＤに基づき作成された鍵を用いて音楽データを復号化しながら再生することにより、著作権を保護しながら音楽配信を行う音楽配信方法、送信装置について記載されている。
また、特許文献２には、音楽等のコンテンツを再生した時に、課金を行う課金情報処理装置および方法について記載されている。
また、特許文献３には、ユーザの所望する条件に合致する曲又は番組を配信する予定の音楽配信元へのリンク情報をユーザ端末へ送信することにより、ネットワーク上でユーザの音楽情報の利用を支援する音楽情報利用支援システムについて記載されている。
【０００３】
【特許文献１】
特開２０００−９００３９号公報（段落００２０−００８５、第１−８図）
【特許文献２】
特開２００１−１４７９７０号公報（段落００１１−００８２、第１−１１図）
【特許文献３】
特開２００１−１９５４２０号公報（段落００２８−００８７、第１−８図）
【０００４】
【発明が解決しようとする課題】
従来、ユーザが店舗などにおいて購入したＣＤに記録されている音楽データを外出先で聞きたい場合、聞きたいＣＤを全て持ち歩くか、あるいは、聞きたい曲だけをＭＤなどの記録媒体にダビングして持ち歩く必要があった。これは、非常に煩雑であった。
しかし、特許文献１〜３は、ネットワーク上で音楽データを不特定のユーザに配信あるいは販売すること想定しているが、個々のユーザの所有する音楽データを管理することを想定しておらず、上述する問題を解決するものではない。
【０００５】
この発明は、このような事情を考慮してなされたもので、その目的は、ユーザの所有するコンテンツをネットワーク上で管理し、ユーザの所望の場所においてこの所有するコンテンツを取得し、再生することができるコンテンツ管理システム及びコンテンツ管理方法を提供することにある。
【０００６】
【課題を解決するための手段】
上記目的を達成するために、本発明は、ユーザの端末及びコンテンツ再生装置と、前記ユーザの所有するコンテンツを管理するコンテンツ管理サーバとをネットワークを介して接続してなるコンテンツ管理システムであって、前記端末は、ユーザが購入したコンテンツの購入識別を前記コンテンツ管理サーバへ送信する手段を備え、前記コンテンツ管理サーバは、購入識別及びコンテンツデータをコンテンツＩＤ毎に記憶するコンテンツデータベースと、ユーザが購入したコンテンツの購入識別を記憶するユーザデータベースと、前記端末からユーザが購入したコンテンツの購入識別を受信し、前記ユーザデータベースに書き込む書込手段と、受信した購入識別をコンテンツＩＤへ一方向変換する変換手段と、前記コンテンツ再生装置からコンテンツの配信の要求を受信し、前記変換手段が変換したコンテンツＩＤにより識別されるコンテンツデータを配信する配信手段とを備え、前記コンテンツ再生装置は、前記コンテンツ管理サーバへコンテンツの配信の要求を送信し、この要求に対応して受信したコンテンツデータを再生する再生手段を備える、ことを特徴とするコンテンツ管理システムである。
上記発明によれば、コンテンツ管理サーバの変換手段が、ユーザが購入したコンテンツの購入識別をコンテンツＩＤへ一方向変換し、コンテンツ再生装置が、この変換されたコンテンツＩＤにより識別されるコンテンツデータを受信し、再生することができる。
これにより、ユーザは、購入したコンテンツのコンテンツデータを記録した記録媒体を持ち歩いたり、あるいは、ダビングしたりする煩雑さを伴わず、好みの場所において、自身の所有するコンテンツを再生することが可能となる。また、ＣＤを販売する業者は、ＣＤを購入したユーザのみにＣＤに記録されたコンテンツデータを配信するための環境を提供することが可能となるため、ＣＤの販売促進につながる。
【０００７】
また、本発明は、上述したコンテンツ管理システムにおいて、前記端末は、コンテンツデータの再生順を前記コンテンツ管理サーバへ送信する手段を備え、前記ユーザデータベースは、さらに、コンテンツデータの再生順を記憶し、前記コンテンツ管理サーバは、前記端末からコンテンツデータの再生順を受信し、前記ユーザデータベースへ書き込むプログラム編集手段をさらに備え、前記配信手段は、前記ユーザデータベース内のコンテンツデータの再生順に従ってコンテンツデータを配信する、ことを特徴とする。
上記発明によれば、コンテンツ管理システムのプログラム編集手段が、端末からコンテンツデータの再生順を受信してユーザデータベースへ書き込み、配信手段が、ユーザデータベース内のコンテンツデータの再生順に従ってコンテンツデータをコンテンツ再生装置に配信することができる。
これにより、ユーザは、外出先などにおいて煩雑な操作を必要とすることなく、好みの順番でコンテンツを再生することが可能となる。
【０００８】
また、本発明は、上述したコンテンツ管理システムにおいて、前記コンテンツ管理サーバは、前記ユーザデータベース内の情報を基にユーザの嗜好を分析する分析手段をさらに備えることを特徴とする。
上記発明によれば、ユーザデータベース内の情報を基にユーザの嗜好を分析することが可能となる。
これにより、ＩＳＰやＣＤの販売業者は、ユーザの嗜好を分析することが可能となり、マーケティングなどに分析結果を活用し、効率のよい営業活動を行うことができる。
【０００９】
また、本発明は、ユーザの端末及びコンテンツ再生装置と、前記ユーザの所有するコンテンツを管理するコンテンツ管理サーバとをネットワークを介して接続してなるコンテンツ管理システムにおけるコンテンツ管理サーバであって、購入識別及びコンテンツデータをコンテンツＩＤ毎に記憶するコンテンツデータベースと、ユーザが購入したコンテンツの購入識別を記憶するユーザデータベースと、前記端末からユーザが購入したコンテンツの購入識別を受信し、前記ユーザデータベースに書き込む書込手段と、受信した購入識別をコンテンツＩＤへ一方向変換する変換手段と、前記コンテンツ再生装置からコンテンツの配信の要求を受信し、前記変換手段が変換したコンテンツＩＤにより識別されるコンテンツデータを配信する配信手段と、を備えることを特徴とするコンテンツ管理サーバである。
上記発明によれば、コンテンツ管理サーバの変換手段が、ユーザが購入したコンテンツの購入識別をコンテンツＩＤに一方向変換し、配信手段が、この変換されたコンテンツＩＤにより識別されるコンテンツデータをコンテンツ再生装置へ配信することができる。
これにより、ユーザは、購入したコンテンツのコンテンツデータを記録した記録媒体を持ち歩いたり、あるいは、ダビングしたりする煩雑さを伴わず、好みの場所において、自身の所有するコンテンツを再生することが可能となる。また、ＣＤを販売する業者は、ＣＤを購入したユーザのみにＣＤに記録されたコンテンツデータを配信するための環境を提供することが可能となるため、ＣＤの販売促進につながる。
【００１０】
また、本発明は、ユーザの端末及びコンテンツ再生装置と、前記ユーザの所有するコンテンツを管理するコンテンツ管理サーバとをネットワークを介して接続してなるコンテンツ管理システムに用いられるコンテンツ管理方法であって、前記端末が、ユーザが購入したコンテンツの購入識別を前記コンテンツ管理サーバへ送信し、前記コンテンツ管理サーバが、購入識別及びコンテンツデータをコンテンツＩＤ毎に記憶するコンテンツデータベースと、ユーザが購入したコンテンツの購入識別を記憶するユーザデータベースとを用意し、前記端末からユーザが購入したコンテンツの購入識別を受信し、前記ユーザデータベースに書き込み、受信した購入識別をコンテンツＩＤへ一方向変換し、前記コンテンツ再生装置が、前記コンテンツ管理サーバへコンテンツの配信の要求を送信し、前記コンテンツ管理サーバが、前記コンテンツ再生装置からコンテンツの配信の要求を受信し、変換したコンテンツＩＤにより識別されるコンテンツデータを配信し、前記コンテンツ再生装置が、前記コンテンツの配信の要求に対応して受信したコンテンツデータを再生する、ことを特徴とするコンテンツ管理方法である。
上記発明によれば、ユーザは、自身の購入したコンテンツの購入識別をコンテンツ管理サーバへ保持し、コンテンツ管理サーバから購入したコンテンツのコンテンツデータの配信をコンテンツ配信装置に受け、再生することが可能となる。
これにより、ユーザは、購入したコンテンツのコンテンツデータを記録した記録媒体を持ち歩いたり、あるいは、ダビングしたりする煩雑さを伴わず、好みの場所において、自身の所有するコンテンツを再生することが可能となる。また、ＣＤを販売する業者は、ＣＤを購入したユーザのみにＣＤに記録されたコンテンツデータを配信するための環境を提供することが可能となるため、ＣＤの販売促進につながる。
【００１１】
また、本発明は、ユーザの端末及びコンテンツ再生装置と、前記ユーザの所有するコンテンツを管理するコンテンツ管理サーバとをネットワークを介して接続してなるコンテンツ管理システムにおけるコンテンツ管理サーバに用いられるコンテンツ管理方法であって、購入識別及びコンテンツデータをコンテンツＩＤ毎に記憶するコンテンツデータベースと、ユーザが購入したコンテンツの購入識別を記憶するユーザデータベースとを用意し、前記端末からユーザが購入したコンテンツの購入識別を受信し、前記ユーザデータベースに書き込み、受信した購入識別をコンテンツＩＤへ一方向変換し、前記コンテンツ再生装置からコンテンツの配信の要求を受信し、変換したコンテンツＩＤにより識別されるコンテンツデータを配信する、ことを特徴とするコンテンツ管理方法である。
上記発明によれば、ユーザは、自身の購入したコンテンツの購入識別をコンテンツ管理サーバへ保持し、コンテンツ管理サーバから購入したコンテンツのコンテンツデータの配信をコンテンツ配信装置に受け、再生することが可能となる。
これにより、ユーザは、購入したコンテンツのコンテンツデータを記録した記録媒体を持ち歩いたり、あるいは、ダビングしたりする煩雑さを伴わず、好みの場所において、自身の所有するコンテンツを再生することが可能となる。また、ＣＤを販売する業者は、ＣＤを購入したユーザのみにＣＤに記録されたコンテンツデータを配信するための環境を提供することが可能となるため、ＣＤの販売促進につながる。
【００１２】
また、本発明は、ユーザの端末及びコンテンツ再生装置と、前記ユーザの所有するコンテンツを管理するコンテンツ管理サーバとをネットワークを介して接続してなるコンテンツ管理システムにおけるコンテンツ管理サーバに用いられるコンピュータプログラムであって、前記端末からユーザが購入したコンテンツの購入識別を受信し、ユーザデータベースに書き込むステップと、購入識別及びコンテンツデータをコンテンツＩＤ毎に記憶するコンテンツデータベースを参照し、受信した購入識別をコンテンツＩＤへ一方向変換するステップと、前記コンテンツ再生装置からコンテンツの配信の要求を受信し、変換したコンテンツＩＤにより識別されるコンテンツデータを配信するステップと、をコンピュータに実行させることを特徴とするコンテンツ管理サーバのコンピュータプログラムである。
上記発明によれば、ユーザは、自身の購入したコンテンツの購入識別をコンテンツ管理サーバへ保持し、コンテンツ管理サーバから購入したコンテンツのコンテンツデータの配信をコンテンツ配信装置に受け、再生することが可能となる。
これにより、ユーザは、購入したコンテンツのコンテンツデータを記録した記録媒体を持ち歩いたり、あるいは、ダビングしたりする煩雑さを伴わず、好みの場所において、自身の所有するコンテンツを再生することが可能となる。また、ＣＤを販売する業者は、ＣＤを購入したユーザのみにＣＤに記録されたコンテンツデータを配信するための環境を提供することが可能となるため、ＣＤの販売促進につながる。
【００１３】
【発明の実施の形態】
図１は、この発明の一実施形態のコンテンツ管理システムの構成を示す図である。
ＣＤ（コンパクトディスク）１は、音楽や映像などのコンテンツデータを記憶した記録媒体であり、店舗などにおいて販売されるコンテンツである。ＣＤ１には、各ＣＤ１を一意に識別するためのＣＤ−ＩＤ（Identifier）、すわわち、ユーザが購入したコンテンツの購入識別が付与されている。このＣＤ−ＩＤは、ＣＤ１の販売パッケージに封入されているカードや冊子、ＣＤ１の外観など、開封前のＣＤ１の販売パッケージの外観からは読み取れない箇所に記載されるか、ＣＤ１内に記憶される。
なお、コンテンツデータを記憶した記録媒体は、ＣＤのほか、ＤＶＤ（Digital Versatile Disc）などであってもよい。
【００１４】
端末２は、ＩＳＰ（インターネットサービスプロバイダ）の提供するコンテンツ管理サービスに加入しているユーザが保有する端末であり、パーソナルコンピュータ、携帯電話端末、ＰＤＡ（Personal Digital Assistants：情報携帯端末）などである。端末２は、ダイヤルアップ回線やブロードバンド回線などの有線インタフェース、あるいは、携帯電話網や無線インターネット網との間の無線インタフェースにより、インターネットなどの公衆ネットワークであるネットワークＮと接続される。そして、ＩＳＰの保有するコンテンツ管理サーバ３と通信する機能を有する。さらに、端末２は、コンテンツ管理サーバ３から送信される画面情報をディスプレイに表示したり、マウスやキーボードなどにより入力されたデータをコンテンツ管理サーバ３へ送信するためのブラウザを備える。
【００１５】
コンテンツ再生装置４は、制御手段４１、入力手段４２、通信手段４３、表示手段４４、記憶手段４５、及び、再生手段４６からなり、ＩＳＰの提供するコンテンツ管理サービスに加入しているユーザが保有する。
制御手段４１は、ＣＰＵ（central processing unit）及び各種メモリから構成され、各部の制御や、データの一時的な格納や、データの転送等を行う。
入力手段４２は、ボタンやキーなどによりユーザが入力した情報を受信する。
通信手段４３は、携帯電話網や無線インターネット網などの無線インタフェースによりネットワークＮと接続され、コンテンツ管理サーバ３との間のデータの送受信を行う。なお、ダイヤルアップ回線やブロードバンド回線などの有線インタフェースによりネットワークＮと接続されてもよい。
表示手段４４は、ＬＣＤ（Liquid Crystal Display）などのディスプレイへの表示を行う。
記憶手段４５は、コンテンツ管理サーバ３から受信した著作権保護化されたコンテンツデータ（以下、「著作権保護化コンテンツデータ」）を記憶する。
再生手段４６は、著作権保護化コンテンツデータを再生し、ヘッドホンやスピーカーなどに出力する。
【００１６】
コンテンツ管理サーバ３は、コンテンツ管理サービスを提供するＩＳＰが保有するサーバであり、制御手段３１、通信手段３２、認証手段３３、ユーザＤＢ（データベース）３４、変換手段３５、コンテンツＤＢ（データベース）３６、プログラム編集手段３７、配信手段３８及び分析手段３９からなる。
コンテンツＤＢ３６は、ＣＤ１により販売されるコンテンツを管理するためのコンテンツ管理テーブルを記憶する。コンテンツ管理テーブルは、以下の情報からなる。
＜コンテンツ管理テーブル＞
・コンテンツＩＤ：コンテンツを一意に識別するための情報である。
・ＣＤ−ＩＤリスト：当該コンテンツを販売するＣＤ１に付与されたＣＤ−ＩＤの一覧である。
・コンテンツ関連情報：コンテンツに関連した情報である。例えば、コンテンツが複数トラックの音楽を含んだ音楽アルバムである場合、その音楽アルバム名（コンテンツのタイトル）、ジャンル、アーティスト名、再生にかかる時間、ＣＤ１の発売元などの情報が含まれる。
・トラック情報：コンテンツを構成する各トラックに関する情報であり、以下に示すトラックＩＤ、トラック関連情報及び著作権保護化コンテンツデータからなる複数のレコードにより構成される。
−トラックＩＤ：トラック（コンテンツデータ）を一意に識別するための情報である。
−トラック関連情報：トラック（コンテンツデータ）に関する情報を示す。例えば、コンテンツが複数トラックの曲を含んだ音楽アルバムである場合、各トラックの曲名（トラックのタイトル）、作詞者、作曲者、編曲者、アーティスト名、再生にかかる時間などの情報が含まれる。
−著作権保護化コンテンツデータ：コピー防止、かつ、ダウンロード後所定の時間内のみ再生可能なように著作件保護化されたコンテンツデータである。
【００１７】
ユーザＤＢ３４は、ＩＳＰの提供するコンテンツ管理サービスに加入しているユーザを管理するユーザ管理テーブル、及び、各ユーザが購入したコンテンツ（ＣＤ１）に含まれるコンテンツデータの再生順を示す再生プログラムを記憶する。
ユーザ管理テーブル及び再生プログラムは、以下の情報からなる。
＜ユーザ管理テーブル＞
・ユーザＩＤ：ユーザを一意に識別するための情報である。
・パスワード：ユーザを認証するために使用される情報である。
・ユーザ個人情報：ユーザの氏名、住所、年齢、電話番号、電子メールアドレスなどのアクセスアドレスからなる。
・所有コンテンツ情報：ユーザが購入したＣＤ１（コンテンツ）のＣＤ−ＩＤ（購入識別）と、このＣＤ−ＩＤに対応するコンテンツＩＤ、コンテンツ関連情報及びトラック情報（トラックＩＤ、トラック関連情報、及び、著作権保護化コンテンツデータを含む）のリストからなる。
・再生プログラムリスト：ユーザが登録した再生プログラムのリストであり、再生プログラムＩＤにより示される。
・嗜好情報：ユーザの好むジャンル、アーティストなど、ユーザの嗜好に関する情報を示す。
＜再生プログラム＞
・ユーザＩＤ：当該再生プログラムを登録したユーザを一意に識別するための情報である。
・再生プログラムＩＤ：再生プログラムを一意に識別する情報である。例えば、再生プログラムのタイトルを示す内容をとりうる。
・再生リスト：コンテンツデータの再生順と、コンテンツデータのＣＤ−ＩＤ及びトラックＩＤとからなる複数のレコードにより構成される。
【００１８】
制御手段３１は、ＣＰＵ及び各種メモリから構成され、各部の制御や、データの一時的な格納や、データの転送等を行う。
通信手段３２は、専用線、ブロードバンド回線などにより、ネットワークＮと接続され、端末２、コンテンツ再生装置４、及び、サーバ５との間のデータの送受信を行う。
認証手段３３は、ユーザの認証を行う。
変換手段３５は、コンテンツＤＢ３６内のコンテンツ管理テーブルを基に、ユーザが購入したＣＤ１（コンテンツ）のＣＤ−ＩＤ（購入識別）をコンテンツＩＤに一方向変換する機能と、このコンテンツＩＤに対応するコンテンツの情報をコンテンツＤＢ３６内のコンテンツ管理テーブルから読み出し、受信したＣＤ−ＩＤとともにユーザＤＢ３４内のユーザ管理テーブルに書き込む書込手段の機能を有する。
プログラム編集手段３７は、ユーザＤＢ３４内のユーザ管理テーブルの所有コンテンツ情報を基に、ユーザが所有するコンテンツの一覧を端末２へ送信する。また、端末２が編集した再生プログラムを受け、ユーザＤＢ３４内の再生プログラムに書き込む。
配信手段３８は、ユーザＤＢ３４内の再生プログラムに従い、コンテンツ再生装置４へ著作権保護化コンテンツデータを再生順に配信する。
分析手段３９は、ユーザＤＢ３４内のユーザ管理テーブル及び再生プログラムを基に、ユーザの嗜好を分析したり、あるいは、ユーザへ各種サービスを提供するか否かを判定する。
【００１９】
サーバ５は、ＣＤ１の販売元のレコード会社が保有するサーバであり、専用線、ブロードバンド回線などにより、ネットワークＮと接続され、ＩＳＰの保有するコンテンツ管理サーバ３と通信する機能を有する。そして、コンテンツ管理サーバ３のコンテンツＤＢ３６内のコンテンツ管理テーブルへアップロードすべきコンテンツの情報を送信する。
【００２０】
次に、図１に示す実施形態による、コンテンツ管理システムの動作について説明する。
まず、ＩＳＰは、各レコード会社が発売するＣＤ１のコンテンツをコンテンツ管理サーバ３へ登録する。すなわち、コンテンツ管理サーバ３の制御手段３１は、各レコード会社のサーバ５からネットワークＮを介して、コンテンツＩＤ、ＣＤ−ＩＤリスト、コンテンツ関連情報及びトラック情報（トラックＩＤ、トラック関連情報、及び、著作権保護化コンテンツデータを含む）を受け、コンテンツＤＢ３６内のコンテンツ管理テーブルへ書き込む。なお、各レコード会社から受領した可搬のコンピュータ読み取り可能な記録媒体からこれらの情報を読み出して記憶することでもよい。また、ＩＳＰがコンテンツ関連情報及びトラック関連情報をコンテンツ管理サーバ３へ入力し、コンテンツＤＢ３６内のコンテンツ管理テーブルへ情報を追加してもよい。
一方、ユーザは、ＩＳＰの提供するコンテンツ管理サービスに加入する。ＩＳＰは、コンテンツ管理サービスに加入したユーザのユーザＩＤ、パスワード、ユーザ個人情報を、コンテンツ管理サーバ３のユーザＤＢ３４内のユーザ管理テーブルに記憶する。
【００２１】
図２は、図１に示す実施形態による購入ＣＤの登録の手順を示す図である。
ユーザは、ＣＤ１をレコード店などから購入する。そして、ＣＤ１の販売パッケージを開封し、購入したＣＤ１に付与されたＣＤ−ＩＤを得る。ユーザは、自身の端末２からネットワークＮを介して、コンテンツ管理サーバ３へアクセスする。コンテンツ管理サーバ３の制御手段３１は、通信手段３２がユーザの端末２からのアクセスを受けた旨を認証手段３３へ通知する。認証手段３３は、ユーザＩＤ及びパスワードの入力フィールドと送信ボタンとを含む認証画面情報を生成し、通信手段３２に指示することによりこの認証画面情報を端末２へ送信する。
端末２が、コンテンツ管理サーバ３から受信した認証画面情報を表示すると、ユーザは、キーボードなどからユーザＩＤ及びパスワードを入力し、送信ボタンを押す。コンテンツ管理サーバ３の認証手段３３は、端末２が送信したユーザＩＤ及びパスワードを受けると、受信したユーザＩＤによりユーザＤＢ３４を検索し、ユーザ管理テーブル内のパスワードを読み出す。そして、読み出したパスワードと受信したパスワードが一致するかを確認し、認証を行う（ステップＳ１００）。ユーザの認証が成功した場合、購入ＣＤ登録、再生プログラム編集、コンテンツ配信などのメニューを選択するためのボタンを備えたメニュー画面情報を、通信手段３２を介して端末２へ送信する。
【００２２】
端末２が、コンテンツ管理サーバ３から受信したメニュー画面情報を表示すると、ユーザは、マウスなどにより、購入ＣＤ登録を選択する。コンテンツ管理サーバ３の制御手段３１は、端末２から購入ＣＤ登録が選択された旨の通知を受け、変換手段３５へ受け渡す。変換手段３５は、登録するＣＤ１のＣＤ−ＩＤの入力フィールドと送信ボタンとを含む購入ＣＤ登録画面情報を生成し、通信手段３２を介して端末２へ送信する。
端末２が、コンテンツ管理サーバ３から受信した購入ＣＤ登録画面情報を表示すると、ユーザは、ＣＤ１のＣＤ−ＩＤを入力し、送信ボタンを押す。コンテンツ管理サーバ３の変換手段３５は、端末２が送信したＣＤ−ＩＤを受けると（ステップＳ１１０）、ユーザＤＢ３４を検索してこのＣＤ−ＩＤが既に他のユーザのユーザ管理テーブルに登録されていないかを確認する。他のユーザ管理テーブルに登録されていないと確認された場合に、ＣＤ−ＩＤによりコンテンツＤＢ３６内のコンテンツ管理テーブルを検索し、コンテンツＩＤ、コンテンツ関連情報、トラック情報（トラックＩＤ、トラック関連情報、及び、著作権保護化コンテンツデータを含む）を読み出す（ステップＳ１２０）。そして、ユーザＤＢ３４内のユーザ管理テーブルの所有コンテンツ情報に、端末２から受信したＣＤ−ＩＤと、このＣＤ−ＩＤに対応させてコンテンツＤＢ３６から読み出したコンテンツＩＤ、コンテンツ関連情報、トラック情報を書き込む（ステップＳ１３０）。変換手段３５は、ユーザ管理テーブルへの書き込みが正常に終了した場合に、ＣＤ−ＩＤの登録が成功した旨を通知する画面情報を生成し、通信手段３２を介して端末２へ送信する。
【００２３】
図３は、図１に示す実施形態による再生プログラム編集の手順を示す図である。
ユーザは、端末２からネットワークＮを介してコンテンツ管理サーバ３へアクセスし、購入ＣＤの登録と同様の手順によりユーザ認証を終了した後、あるいは、購入ＣＤ登録後に、メニュー画面から再生プログラム編集を選択する。
コンテンツ管理サーバ３のプログラム編集手段３７は、端末２から再生プログラム編集が選択された旨の通知を受信すると、当該ユーザの所有コンテンツ一覧を返送する（ステップ２００）。すなわち、ユーザＤＢ３４に記憶されているユーザ管理テーブル内の所有コンテンツ情報を基に、ユーザの所有するコンテンツ及び当該コンテンツのトラックの一覧を表示し、再生プログラムを編集するための画面情報を生成して端末２へ送信する。このとき、ユーザＤＢ３４内に登録済みの再生プログラムがあれば、併せて画面情報の中に組み込む。なお、所有コンテンツ一覧及び再生プログラムは、例えば、音楽アルバム名（コンテンツのタイトル）及び各トラックの曲名（トラックのタイトル）などを用いて表示する。
【００２４】
ユーザは、端末２が表示する所有コンテンツ一覧を確認しながら、再生プログラムを編集する。例えば、新規に再生プログラムを編集する場合、ユーザは、端末２へ新規の再生プログラムＩＤを入力する。そして、マウスなどにより、再生順に、画面に表示されているトラックの曲名（トラックのタイトル）を選択する。また、既に登録されている再生プログラムを再編集する場合、ユーザは、マウスなどにより、再編集の対象の再生プログラムを選択する。さらに、変更を希望するトラックの曲名（トラックのタイトル）を選択して、再生順の変更や再生プログラムからの削除を入力する。または、所有コンテンツ一覧の中から追加したいトラックの曲名（トラックのタイトル）を選択し、再生順を入力する。再生プログラムの編集が終了すると、ユーザは、送信ボタンを押す。端末２は、編集された再生プログラムの再生プログラムＩＤ及び再生リスト（再生順とトラックのＣＤ−ＩＤ及びトラックＩＤとを含む）をコンテンツ管理サーバ３へ送信する。
【００２５】
コンテンツ管理サーバ３は、端末２から再生プログラムＩＤ及び再生リストを受信する（ステップ２１０）。すると、プログラム編集手段３７は、受信した再生プログラムＩＤ及び再生リストに従い、ユーザＤＢ３４内の再生プログラムを追加または更新する（ステップ２２０）。また、再生プログラムの追加の場合には、ユーザ管理テーブル内の再生プログラムリストへ再生プログラムＩＤを追加する。プログラム編集手段３７は、再生プログラムの登録が成功した旨を通知する画面情報を生成し、通信手段３２を介して端末２へ送信する。
【００２６】
図４は、図１に示す実施形態によるコンテンツデータ配信の手順を示す図である。
ユーザは、上述する再生プログラム編集の手順により、再生プログラムを登録した後、外出先などにおいて、コンテンツ再生装置４からコンテンツ管理サーバ３へアクセスする。コンテンツ管理サーバ３の制御手段３１は、通信手段３２がユーザのコンテンツ再生装置４からのアクセスを受けた旨を認証手段３３へ通知する。認証手段３３は、ユーザＩＤ及びパスワードを入力するためのフィールドを含む画面情報を生成し、返送する。
コンテンツ再生装置４の表示手段４４が、通信手段４３がコンテンツ管理サーバ３から受信した画面を表示すると、ユーザは、ユーザＩＤ及びパスワードを入力し、送信ボタンを押す。コンテンツ再生装置４の入力手段４２は、入力されたユーザＩＤ及びパスワードを通信手段４３へ受け渡し、通信手段４３は、ネットワークＮを介してユーザＩＤ及びパスワードを送信する。
コンテンツ管理サーバ３の認証手段３３は、コンテンツ再生装置４から受信したユーザＩＤ及びパスワードにより、ユーザの認証を行う（ステップ３００）。認証が成功した場合、配信手段３８は、ユーザＤＢ３４からユーザ管理テーブル内の再生プログラムリストを読み出す。そして、この再生プログラムリストを表示するための画面情報を生成し、通信手段３２を介してコンテンツ再生装置４へ送信する（ステップ３１０）。
【００２７】
コンテンツ再生装置４の表示手段４４が、コンテンツ管理サーバ３から受信した再生プログラムリストを表示すると、ユーザは、再生を希望する再生プログラムＩＤを選択し、送信ボタンを押す。コンテンツ再生装置４の入力手段４２は、選択された再生プログラムＩＤを送信するよう、通信手段４３へ指示する。
コンテンツ管理サーバ３の配信手段３８は、コンテンツ再生装置４から再生プログラムＩＤを受け、対応する再生プログラムをユーザＤＢ３４から読み出す（ステップ３２０）。そして、読み出した再生プログラム内の再生リストに従い、ユーザＤＢ３４に記憶されているユーザ管理テーブルの所有コンテンツ情報から著作権保護化コンテンツデータ読み出し、コンテンツ再生装置４へ送信する（ステップ３３０）。
コンテンツ再生装置４の制御手段４１は、通信手段４３がネットワークＮを介して受信した著作権保護化コンテンツデータを記憶手段４５へ書き込む。そして、再生手段４６は、記憶手段４５から著作権保護化コンテンツデータを読み出し、再生する。
なお、コンテンツ管理サーバ３の配信手段３８は、著作権保護化コンテンツデータをコンテンツ再生装置４へ送信するときに、当該コンテンツに対応するコンテンツ関連情報及びトラック関連情報に含まれる情報、例えば、音楽アルバム名、トラックの曲名、アーティスト名などを併せて送信してもよい。コンテンツ再生装置４の表示手段４４は、受信したこれらの情報を表示する。
【００２８】
次に、図１に示す実施形態によるユーザの嗜好分析の手順について説明する。
コンテンツ管理サーバ３の分析手段３９は、所定の時間毎にユーザＤＢ３４のユーザ管理テーブル内の所有コンテンツ情報及び再生プログラム内の再生リストを検索し、各ユーザの嗜好を分析する。これにより、例えば、各ユーザが好むアーティスト、ジャンルなどの情報を得る。分析手段３９は、得られたユーザの嗜好に関する情報をユーザＤＢ３４内のユーザ管理テーブルの嗜好情報に書き込む。そして、コンテンツ管理サーバ３の分析手段３９は、ＣＤの発売情報や、コンサート、イベントの開催情報などのお知らせを電子メールなどにより通知するにあたり、ユーザＤＢ３４内のユーザ管理テーブルを検索する。そして、通知するお知らせに関連するアーティストやジャンルがユーザ管理テーブルの嗜好情報に登録されているユーザにのみ電子メールを送信する。
また、ダイレクトメールの送付対象のユーザを得る場合、コンテンツ管理サーバ３の分析手段３９は、ＩＳＰが入力したダイレクトメールに関するキーワードにより、ユーザＤＢ３４内のユーザ管理テーブルを検索する。そして、コンテンツ管理サーバ３の備える印刷手段（図示せず）に指示することより、キーワードに合致する嗜好情報が登録されているユーザの住所及び氏名を、封筒あるいは封筒に貼付するシールなどに印刷する。
【００２９】
また、コンサートの先行予約、ファンクラブへの入会、あるいは、アーティストのコンタクトを行うときに、ユーザ管理テーブルの所有コンテンツ情報を参照してもよい。例えば、あるアーティストのコンサートの先行予約を行う場合、まず、コンテンツ管理サーバ３は、ユーザＩＤ及びパスワードを端末２から受信する。ユーザの認証後、分析手段３９は、受信したユーザＩＤによりユーザＤＢ３４内のユーザ管理テーブルを検索する。そして、当該ユーザが、このアーティストのＣＤを過去に購入している場合には、先行予約を受け付ける。
また、アーティストやジャンル毎にファン層の統計情報を得ることなども可能である。
【００３０】
なお、ユーザは、ＣＤパッケージを購入するかわりに、購入識別のみを購入することでもよい。
また、上記においては、再生プログラムを選択することにより、著作権保護化コンテンツデータを配信しているが、ユーザの所有するコンテンツのリストから配信を希望するコンテンツやトラックを選択することにより、著作権保護化コンテンツデータの配信を行ってもよい。
また、ユーザ管理テーブルの所有コンテンツ情報内に、購入識別及びこの購入識別に対応するコンテンツＩＤのみを記憶し、ユーザ管理テーブルから読み出す代わりに、コンテンツ管理テーブルからコンテンツ関連情報及び著作権保護化コンテンツデータなどを含むトラック情報を読み出すことでもよい。
【００３１】
上記実施の形態によれば、ユーザは、購入したコンテンツのコンテンツデータを記録した記録媒体を持ち歩いたり、あるいは、ダビングしたりする煩雑さを伴わず、好みの場所において、自身の所有するコンテンツを再生することが可能となる。また、購入した記録媒体の種類に依存せず、コンテンツ再生装置でコンテンツデータを再生することが可能となる。また、外出先などにおいて煩雑な操作を必要とすることなく、好みの順番でコンテンツを再生することが可能となる。また、著作権保護化コンテンツデータをダウンロードすることにより、電波の届かない場所においても、一定時間コンテンツを再生することが可能となる。
また、ＣＤを販売する業者は、ＣＤを購入したユーザのみに、ＣＤに記録されたコンテンツデータを配信するための環境や、特典を提供することが可能となり、ＣＤの販売促進につながる。また、ＩＳＰやＣＤの販売業者は、ユーザの嗜好を分析することが可能となるため、マーケティングなどに分析結果を活用し、効率のよい営業活動を行うことができる。
【００３２】
図５は、他の実施形態のコンテンツ管理システムの構成を示す図である。なお、この図において、図１の各部と同一部分には同一の符号が付してある。
端末７は、ＩＳＰの提供するコンテンツ管理サービスに加入しているユーザが保有する端末であり、図１に示す実施形態の端末２と同様の機能を有する。
コンテンツ再生装置４は、図１に示す実施形態のコンテンツ再生装置４と同一構成であり、ＩＳＰの提供するコンテンツ管理サービスに加入しているユーザが保有する。
サーバ５は、レコード会社が保有するサーバであり、図１に示す実施形態のサーバ５と同一構成である。
【００３３】
コンテンツ管理サーバ８は、コンテンツ管理サービスを提供するＩＳＰが保有するサーバであり、制御手段８１、通信手段８２、認証手段８３、ユーザＤＢ８４、コンテンツ取得手段８５、コンテンツＤＢ８６、プログラム編集手段８７、配信手段８８及び分析手段８９からなる。
コンテンツＤＢ８６は、ユーザへ販売するコンテンツを管理するためのコンテンツ管理テーブルを記憶する。コンテンツ管理テーブルは、以下の情報からなる。
＜コンテンツ管理テーブル＞
・コンテンツＩＤ：コンテンツを一意に識別するための情報である。
・コンテンツ関連情報：コンテンツに関連した情報である。例えば、コンテンツが複数トラックの音楽を含んだ音楽アルバムである場合、その音楽アルバム名（コンテンツのタイトル）、ジャンル、アーティスト名、再生にかかる時間などの情報が含まれる。
・トラック情報：コンテンツを構成する各トラックに関する情報であり、以下に示すトラックＩＤ、トラック関連情報及び著作権保護化コンテンツデータからなる複数のレコードにより構成される。
−トラックＩＤ：トラック（コンテンツデータ）を一意に識別するための情報である。
−トラック関連情報：トラック（コンテンツデータ）に関する情報を示す。例えば、コンテンツが複数トラックの曲を含んだ音楽アルバムである場合、各トラックの曲名（トラックのタイトル）、作詞者、作曲者、編曲者、アーティスト名、再生にかかる時間などの情報が含まれる。
−著作権保護化コンテンツデータ：コピー防止、かつ、ダウンロード後所定の時間内のみ再生可能なように著作件保護化された各トラックのコンテンツデータである。
・価格情報：コンテンツの価格を示す。
【００３４】
ユーザＤＢ８４は、ＩＳＰの提供するコンテンツ管理サービスに加入しているユーザを管理するユーザ管理テーブル、及び、各ユーザが購入したコンテンツに含まれるコンテンツデータの再生順を示す再生プログラムを記憶する。なお、再生プログラムは、図１に示す実施形態の再生プログラムと同様の内容である。
ユーザ管理テーブルは、以下の情報からなる。
＜ユーザ管理テーブル＞
・ユーザＩＤ：ユーザを一意に識別するための情報である。
・パスワード：ユーザを認証するために使用される情報である。
・ユーザ個人情報：ユーザの氏名、住所、年齢、電話番号、電子メールアドレスなどのアクセスアドレスからなる。
・決済情報：購入したコンテンツの決済に関する情報であり、クレジットカード、口座振替、ＩＳＰ決済などの支払いに関する情報及び購入代金を示す。例えば、クレジットカードによる支払いの場合には、クレジットカード番号、支払い回数、有効期限などの情報を、口座振替の場合には、金融機関名、支店名、口座番号などの情報を含む。
・所有コンテンツ情報：ユーザの所有するコンテンツのコンテンツＩＤ、コンテンツ関連情報及びトラック情報（トラックＩＤ、トラック関連情報、及び、著作権保護化コンテンツデータを含む）のリストからなる。
・再生プログラムリスト：ユーザが登録した再生プログラムのリストであり、再生プログラムＩＤにより示される。
・嗜好情報：ユーザの好むジャンル、アーティストなど、ユーザの嗜好に関する情報を示す。
【００３５】
制御手段８１は、ＣＰＵ及び各種メモリから構成され、各部の制御や、データの一時的な格納や、データの転送等を行う。
通信手段８２は、専用線、ブロードバンド回線などにより、ネットワークＮと接続し、端末７、コンテンツ再生装置４、及び、サーバ５との間のデータの送受信を行う。
認証手段８３は、ユーザの認証を行う。
コンテンツ取得手段８５は、ユーザが購入を希望するコンテンツの情報を受け、対応するコンテンツの情報をコンテンツＤＢ８６内のコンテンツ管理テーブルから読み出し、決済情報とともにユーザＤＢ８４内のユーザ管理テーブルに書き込む機能を有する。
プログラム編集手段８７は、ユーザＤＢ８４内のユーザ管理テーブルの所有コンテンツ情報を基に、ユーザが所有するコンテンツの一覧を端末７へ送信する。また、端末７が編集した再生プログラムを受け、ユーザＤＢ８４内の再生プログラムを更新する機能を有する。
配信手段８８は、ユーザＤＢ８４内の再生プログラムに従い、コンテンツ再生装置４へ著作権保護化コンテンツデータを再生順に配信する。
分析手段８９は、ユーザＤＢ８４内のユーザ管理テーブル及び再生プログラムを基に、ユーザの嗜好を分析したり、あるいは、ユーザへ各種サービスを提供するか否かを判定する。
【００３６】
次に、図５に示す実施形態による、コンテンツ管理システムの動作について説明する。
まず、ＩＳＰは、各レコード会社から供給されたコンテンツをコンテンツ管理サーバ８へ登録する。すなわち、コンテンツ管理サーバ８の制御手段８１は、各レコード会社のサーバ５からネットワークＮを介して、コンテンツＩＤ、コンテンツ関連情報、トラック情報（トラックＩＤ、トラック関連情報、及び、著作権保護化コンテンツデータを含む）及び価格情報を受け、コンテンツＤＢ８６内のコンテンツ管理テーブルに書き込む。
一方、ユーザは、ＩＳＰの提供するコンテンツ管理サービスに加入する。ＩＳＰは、コンテンツ管理サービスに加入したユーザのユーザＩＤ、パスワード、ユーザ個人情報を、コンテンツ管理サーバ８のユーザＤＢ８４内のユーザ管理テーブルに記憶する。
【００３７】
図６は、図５に示す実施形態によるコンテンツ購入の手順を示す図である。
ユーザは、コンテンツを購入するため、自身の所有する端末７からネットワークＮを介して、コンテンツ管理サーバ８へアクセスする。コンテンツ管理サーバ８のコンテンツ取得手段８５は、コンテンツを検索するためのキーワードの入力フィールドと送信ボタンとを含む検索画面情報を端末７へ送信する。
端末７が、コンテンツ管理サーバ８から受信した検索画面情報を表示すると、ユーザは、キーボードなどにより、コンテンツを検索するためのキーワードを入力し、送信ボタンを押す。コンテンツ管理サーバ８のコンテンツ取得手段８５は、端末７からキーワードを受信すると、このキーワードによりコンテンツＤＢ８６内のコンテンツ管理テーブルを検索する（ステップ５００）。そして、キーワードと合致する情報を持つコンテンツ管理テーブル内の情報を基に、音楽アルバム名、アーティスト名などのコンテンツ関連情報、音楽アルバムに含まれるトラックの曲名などのトラック関連情報、価格情報などを表示し、購入を希望するコンテンツを選択するための検索結果画面情報を生成し、端末７へ送信する（ステップ５１０）。
【００３８】
ユーザは、端末７に表示された検索結果画面情報から購入を希望するコンテンツを選択し、送信ボタンを押す。コンテンツ管理サーバ８のコンテンツ取得手段８５は、端末７から購入を希望するコンテンツの情報、例えば、コンテンツＩＤを受けると、ユーザＩＤ、パスワード、支払いに関する情報の入力フィールドと送信ボタンとを備える決済画面を送信する（ステップ５２０）。
【００３９】
ユーザは、端末７に表示された決済画面情報へユーザＩＤ、パスワード、支払いに関する情報を入力し、送信ボタンを押す。コンテンツ管理サーバ８の制御手段８１は、端末７からこれらの情報を受信すると、認証手段８３へ通知する（ステップ５３０）。認証手段８３は、ユーザＩＤ及びパスワードによりユーザを認証すると、コンテンツ取得手段８５へ通知する。コンテンツ取得手段８５は、ユーザが認証されたことを認識し、支払いに関する情報及び購入代金をユーザＤＢ８４内のユーザ管理テーブルの決済情報へ書き込む。続いて、コンテンツＤＢ８６内のコンテンツ管理テーブルから、購入されたコンテンツのコンテンツ関連情報及びトラック情報（トラックＩＤ、トラック関連情報、著作権保護化コンテンツデータを含む）を読み出す（ステップ５４０）。そして、ユーザＤＢ８４内のユーザ管理テーブルの所有コンテンツ情報に、購入されたコンテンツＩＤと、コンテンツ管理テーブルから読み出したコンテンツ関連情報及びトラック情報を書き込む（ステップ５５０）。コンテンツ取得手段８５は、コンテンツの購入が成功した旨を通知する画面情報を生成し、通信手段８２を介して端末７へ送信する。
【００４０】
なお、再生プログラム編集、コンテンツデータの再生、ユーザ情報の分析については、図１に示す実施形態と同様である。
また、コンテンツ管理テーブル内にコンテンツＩＤにリンクした購入識別のリストを記憶しておき、ユーザは、この購入識別を購入することでもよい。このとき、ユーザ管理テーブル内にユーザが購入した購入識別を記憶する。
【００４１】
上記実施の形態によれば、ユーザは、好みの時間に迅速にコンテンツを購入することが可能となることに加え、コンテンツデータを記録した記録媒体を持ち歩いたり、ダビングしたりする煩雑さを伴わず、好みの場所において、自身の所有するコンテンツを再生することが可能となる。また、外出先などにおいて煩雑な操作を必要とすることなく、好みの順番でコンテンツを再生することが可能となる。また、著作権保護化されたコンテンツをダウンロードすることにより、電波の届かない場所においても、一定時間コンテンツを再生することが可能となる。
また、コンテンツの販売業者は、廃盤になったレコードやＣＤなどに収められていたコンテンツを再び流通させることが可能となる。また、ＣＤなどの在庫のリスクを負うことなくコンテンツを流通させることが可能となる。また、コンテンツデータの不正コピーを防止しながらコンテンツを販売することが可能になる。
また、ＩＳＰやコンテンツの販売業者は、ユーザの嗜好を分析することが可能となるため、マーケティングなどに分析結果を活用し、効率の良い営業活動を行うことができる。
【００４２】
なお、上述の端末２、７、コンテンツ管理サーバ３、８、コンテンツ再生装置４及びサーバ５は、内部にコンピュータシステムを有している。そして、上述した動作の過程は、プログラムの形式でコンピュータ読み取り可能な記録媒体に記憶されており、このプログラムをコンピュータシステムが読み出して実行することによって、上記処理が行われる。ここでいうコンピュータシステムとは、ＯＳや周辺機器等のハードウェアを含むものである。
【００４３】
また、「コンピュータ読み取り可能な記録媒体」とは、ＲＯＭの他に、磁気ディスク、光磁気ディスク、ＣＤ−ＲＯＭ、ＤＶＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のシステムやクライアントとなるコンピュータシステム内部の揮発性メモリ（ＲＡＭ）のように、一定時間プログラムを保持しているものも含むものとする。
【００４４】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【図１】本発明の一実施形態のコンテンツ管理システムの構成を示す図。
【図２】図１に示す実施形態による購入ＣＤの登録の手順を示す図。
【図３】図１に示す実施形態による再生プログラム編集の手順を示す図。
【図４】図１に示す実施形態によるコンテンツデータ配信の手順を示す図
【図５】他の実施形態のコンテンツ管理システムの構成を示す図。
【図６】図５に示す実施形態によるコンテンツ購入の手順を示す図。
【符号の説明】
１…ＣＤ、  ２、７…端末、  ３、８…コンテンツ管理サーバ、  ３２、４３、８２…通信手段、  ３１、４１、８１…制御手段、  ３３、８３…認証手段、  ３４、８４…ユーザＤＢ、  ３５…変換手段、  ３６、８６…コンテンツＤＢ、３７、８７…プログラム編集手段、  ３８、８８…配信手段、  ３９、８９…分析手段、  ４…コンテンツ再生装置、  ４２…入力手段、  ４４…表示手段、４５…記憶手段、  ４６…再生手段、  ５…サーバ、  ８５…コンテンツ取得手段
【図１】
2004199590.tif 000003
【図２】
2004199590.tif 000004
【図３】
2004199590.tif 000005
【図４】
2004199590.tif 000006
【図５】
2004199590.tif 000007
【図６】
2004199590.tif 000008